(57)【要約】  【課題】  ディスク駆動装置なしに、ユーザが書込みの可否を設定でき、見た目で書込みの可否を判別できるディスク記録媒体を提供する。  【解決手段】  カートリッジに納められていないディスク記録媒体に書込みの可否を判別するためのプロテクトマーク領域３０１を設定し、その領域内にプロテクトマークセル３０２を配置する。ユーザは、プロテクトマークセルの着色、被覆の剥離等により、書込みの可否を設定する。ユーザは、ディスク駆動装置にディスク記録媒体をセットしなくても、目視だけで可否を判断できる。ディスク駆動手段には、プロテクトマーク領域のプロテクトマークセルの状態を読み取り書込みの可否を判断する手段を設ける。【選択図】  図１
2007272932.tif 000002
【特許請求の範囲】
【請求項１】
円盤状をなすディスク本体を備え、
前記ディスク本体の少なくとも一方の面上にプロテクトマーク領域が設定され、
前記プロテクトマーク領域に前記ディスク本体とは反射光量が異なるプロテクトマークセルが配置されるディスク記録媒体。
【請求項２】
前記プロテクトマーク領域は、前記ディスク本体の周方向に沿って配置される請求項１記載のディスク記録媒体。
【請求項３】
前記プロテクトマークセルは、筆記具により着色可能に形成されている請求項１から２記載のディスク記録媒体。
【請求項４】
前記プロテクトマークセルは、薄膜により剥離可能に被覆される請求項１から２記載のディスク記録媒体。
【請求項５】
前記プロテクトマークセルは、光を透過するように形成されている請求項１から２記載のディスク記録媒体。
【請求項６】
円盤状をなすディスク本体を備え、前記ディスク本体の少なくとも一方の面上にプロテクトマーク領域が設定され、前記プロテクトマーク領域に前記ディスク本体とは反射光量が異なるプロテクトマークセルが配置されるディスク記録媒体についての書込みの可否を判定するプロテクト判定方法であって、
前記プロテクトマーク領域に光を照射し反射光の光量を計測するステップと、
計測結果に基づいて前記プロテクトマークセルの状態を判別するステップと、
判別結果に基づいて前記ディスク記録媒体の書込みの可否を判定するステップとを含むプロテクト判定方法。
【請求項７】
前記計測結果は、基準値に基づいて２値化される請求項５記載のプロテクト判定方法。
【請求項８】
前記計測ステップは、前記ディスク記録媒体を回転させる状態で実施される請求項６から７記載のプロテクト判定装置。
【請求項９】
円盤状をなすディスク本体を備え、前記ディスク本体の少なくとも一方の面上にプロテクトマーク領域が設定され、前記プロテクトマーク領域に前記ディスク本体とは反射光量が異なるプロテクトマークセルが配置されるディスク記録媒体についての書込みの可否を判定するプロテクト判定装置であって、
前記プロテクトマーク領域に光を照射し反射光の光量を計測手段と、
計測結果に基づいて前記プロテクトマークセルの状態を判別し、判別結果に基づいて前記ディスク記録媒体の書込みの可否を判定するプロテクト検出手段とを備えるプロテクト判定装置。
【請求項１０】
前記計測手段は、基準値に基づいて前記反射光の光量を２値化する請求項９記載のプロテクト判定装置。
【請求項１１】
前記ディスク記録媒体を、前記反射光の位置に対して回転させる回転手段をさらに備える請求項９から１０記載のプロテクト判定装置。
【請求項１２】
請求項９から１０記載のプロテクト判定装置を備えるディスク駆動装置。
【発明の詳細な説明】
【技術分野】
【０００１】
本発明は、データの書込み可能な光ディスク等のディスク状の記録媒体及びその関連技術に関するものである。
【背景技術】
【０００２】
近年、ＤＶＤ等、様々なタイプのディスク記録媒体が開発されている。例えば、カートリッジに納められ書込み可能なＤＶＤ−ＲＡＭ、カートリッジに納められておらず書込み可能なＤＶＤ−ＲＡＭ、ＤＶＤ−ＲＷ、ＤＶＤ＋ＲＷ、カートリッジに納めてられておらず一度のみ書込み可能なＤＶＤ−Ｒ等がある。
【０００３】
図１３、図１４を参照しながら、従来のディスク記録媒体について説明する。ディスク記録媒体は、円盤状をなすディスク本体１００を備え、ディスク本体１００の中心にはスプロケット孔１０１が形成されている。ディスク本体１００の一方の面は、印刷等によってラベルが形成されるラベル面１０２であり、他方の面は、情報を記録／再生できる情報記録層を備える記録面１０３である。
【０００４】
次に、図１５を用いて、ディスク記録媒体に情報を記録／再生する従来のディスク駆動装置について説明する。
【０００５】
ディスク駆動装置２００は、モータ２０１、ヘッド２０２、データ入出力手段２０３、サーボ制御手段２０４、メモリ２０５、バス２０６、外部インターフェース（Ｉ／Ｆ）２０７、ドライブ制御手段２０８により構成されている。
【０００６】
ディスク記録媒体は、ディスク駆動装置２００にセットされると、ディスク本体１００のスプロケット孔１０１が、モータ２０１の回転軸２０１ａに軸支される。このとき、ディスク本体１００の記録面１０３がヘッド２０２に臨み、ラベル面１０２はその反対側を向く。
【０００７】
モータ２０１は、駆動軸２０１ａに駆動力を印加し、ディスク本体１００を回転／停止させる。
【０００８】
ヘッド２０２は、レーザ装置、レンズ等の光学系を備え、ディスク本体１００の記録面１０３に対し、情報の記録／再生を行う。
【０００９】
サーボ制御手段２０４は、モータ２０１とヘッド２０２を駆動し、ヘッド２０２が記録面１０３にアクセスする位置を制御する。
【００１０】
データ入出力手段２０３は、ヘッド２０２を経由し、記録面１０３にデータを入出力する。
【００１１】
メモリ２０５は、データの記録／再生処理において中間バッファとして利用される。
【００１２】
ドライブ制御手段２０８は、モータ２０１、ヘッド２０２、サーボ制御手段２０４、メモリ２０５及び外部インターフェース２０７と、バス２０６を介して接続され、ディスク駆動装置１０００の全体を制御する。
【００１３】
外部インターフェース２０７は、ディスク駆動装置２００に対する外部からのコマンド受付、ステータス出力及びデータ入出力を行う。
【００１４】
記録面１０３への記録動作を以下説明する。
（１）外部インターフェース２０７は、外部からのコマンドを解釈し、ドライブ制御手段２０８に指定位置へのデータ記録命令を通知する。
（２）ドライブ制御手段２０８は、外部インターフェース２０７に指示を行い、外部からのデータをメモリ２０５に格納する。
（３）ドライブ制御手段２０８は、サーボ制御手段２０４とデータ入出力手段２０３に指示を行い、その結果、ヘッド２０２がメモリ２０５上のデータを記録面１０３の特定領域へ記録する。
【００１５】
記録面１０３からの再生動作を以下説明する。
（１）外部インターフェース２０７は、外部からのコマンドを解釈し、ドライブ制御手段２０８に指定位置からのデータ再生命令を通知する。
（２）ドライブ制御手段２０８は、サーボ制御手段２０４とデータ入出力手段２０３に指示を行い、その結果、ヘッド２０２が、記録面１０３の特定領域からデータを読み込み、読み込まれたデータはメモリ２０５に転送される。
（３）ドライブ制御手段２０８は、外部インターフェース２０７に指示を行い、メモリ２０５に格納されたデータを外部に転送する。
【００１６】
記録面１０３への書込みの可否を設定したり、この可否を判定するには、従来より次のような手法がある。
【００１７】
（第１例）
カートリッジに納められ書込み可能なディスク記録媒体、例えばＤＶＤ−ＲＡＭでは、そのカートリッジに書込み不可のスライド・ボタンが設けられている。ユーザは、スライド・ボタンをスライドすることによって書込みの可否を設定できる。例えば、カートリッジのボタンが書込み不可の位置にある場合、カートリッジに穴があいた状態となる。したがって、ディスク駆動装置は、カートリッジに穴があいているか否かを判別することにより、書込みの可否を判定できる。一方、ユーザ自身は、スライドボタンの状態を目視することにより、書込みの可否を判断できる。
【００１８】
（第２例）
特許文献１（特開平１１−２８３３５８号公報）は、カートリッジに納められていない書込み可能なディスク記録媒体において、書込みの可否を設定し、さらにその設定を判別する手法を開示する。特許文献１によれば、ディスク記録媒体のリードイン及びリードアウト領域に書込みの可否を示す識別子を用意し、ディスク駆動装置がその識別子を読み書きすることにより、書込みの可否を設定し、その設定を判別している。
【特許文献１】特開平１１−２８３３５８号公報
【特許文献２】特開平１１−２５０６２６号公報
【発明の開示】
【発明が解決しようとする課題】
【００１９】
しかしながら、第１例は、カートリッジを使用しないディスク記録媒体には適用できない。
【００２０】
また、第２例によると、ユーザは、ディスク駆動装置を通じてしか、書込みの可否を設定することはできない。そのため、カートリッジに納められたディスク記録媒体に比べて、設定に手間がかかる。勿論、ユーザにとっては、ディスク記録媒体に対する書込みの可否の設定は、ディスク駆動装置なしでも、簡易に行えるのが望ましい。また、第２例によると、カートリッジに納められていない書込み可能なディスク記録媒体において、ユーザは、ディスク記録媒体の書込みの可否を判別するために、わざわざディスク記録媒体をディスク駆動装置にセットし、さらに同装置を用いてディスク記録媒体から書込みの可否を示すデータを読み出す必要がある。そのため、書込みの可否の判別にも手間がかかる。ユーザにとっては、ディスク記録媒体の書込みの可否を、ディスク駆動装置なしに、ディスク記録媒体の目視のみで判別できることが望ましい。
【００２１】
そこで本発明は、ディスク駆動装置なしに、ユーザが書込みの可否を設定でき、見た目で書込みの可否を判別できるディスク記録媒体及びその関連技術を提供することを目的とする。
【課題を解決するための手段】
【００２２】
請求項１記載のディスク記録媒体では、円盤状をなすディスク本体を備え、ディスク本体の少なくとも一方の面上にプロテクトマーク領域が設定され、プロテクトマーク領域にディスク本体とは反射光量が異なるプロテクトマークセルが配置される。
【００２３】
この構成により、ユーザは、プロテクトマークセルの反射光量（例えば色等）を変えることによって、書込みの可否を示す情報を設定できる。しかも、ユーザは、この設定をディスク駆動装置へいちいちセットするなどしなくとも、目視により確認できる。
【００２４】
請求項２記載のディスク記録媒体では、プロテクトマーク領域は、ディスク本体の周方向に沿って配置される。
【００２５】
この構成により、プロテクトマークセルが、ディスク本体と同心円状に配置されることとなり、プロテクトマークセルの機械による読み取りをより容易にすることができる。
【００２６】
請求項３記載のディスク記録媒体では、プロテクトマークセルは、筆記具により着色可能に形成されている。
【００２７】
この構成により、ユーザは、筆記具によりプロテクトマークセルを着色するという、簡単な操作で、書込みの可否を設定できる。
【００２８】
請求項４記載のディスク記録媒体では、プロテクトマークセルは、薄膜により剥離可能に被覆される。
【００２９】
この構成により、ユーザは、薄膜の剥離という、簡単な操作で、書込みの可否を設定できる。
【００３０】
請求項５記載のディスク記録媒体では、プロテクトマークセルは、光を透過するように形成されている。
【００３１】
この構成により、光を透過するか反射するかにより、書込みの可否を設定できる。
【発明の効果】
【００３２】
本発明によれば、書込み可能なディスク記録媒体において、ユーザは書込みの可否の設定をディスク駆動装置を使わずに簡易に設定することができる。またユーザは、ディスク記録媒体の目視で、書込みの可否の判別できる。
【００３３】
そのため、ユーザはディスク記録媒体に対する従来技術よりも手間がかけずに行うことができる。
【発明を実施するための最良の形態】
【００３４】
（実施の形態１）
以下図面を参照しながら、本発明の実施の形態を説明する。
【００３５】
図１は、本発明の実施の形態１におけるディスク記録媒体の斜視図である。図１に示すように、本形態では、ディスク本体１００のラベル面１０２に、プロテクトマーク領域３０１を設け、プロテクトマーク領域３０１に、複数のプロテクトマークセル３０２が配置される。
【００３６】
プロテクトマーク領域３０１は、ラベル面１０２の中心から一定間隔Ｎ離れた同心円状に配置されており、白色等の光の反射による光量の高い色で塗られている。
【００３７】
図２に示すように、これらのプロテクトマークセル３０２は、ユーザが、筆記具（例えば、ボールペン、鉛筆、フェルトペン等）３０６で塗りつぶし（着色）可能な領域であり、１つのプロテクトマークセル３０２は、１つのプロテクト状態（書込みの可否状態）を示す。
【００３８】
望ましくは、図１のように、プロテクトマークセル３０２そのものかその付近に、ＯＮ／ＯＦＦ表示３０４やスタートマーク３０３を設けると良い。こうすると、ユーザは、ディスク記録媒体の書込みの可否の現在の状態をより明確に判別でき、好適である。
【００３９】
なお、プロテクトマークセル３０２の形状や大きさは、図１に示す限りではない。プロテクトマークセル３０２の形状が円形または長方形であっても、後述する手法により、書込みの可否を判定できる。
【００４０】
なお、本形態では、塗りつぶされたプロテクトマーク３０２の数が「０」のとき書込みは可能な状態としてもよいし、塗りつぶされたプロテクトマーク領域３０２の数が奇数のとき書込み可とし、「０」または偶数のとき書込み不可であるとしてもよい。
【００４１】
なお、プロテクトマーク領域３０１に配置されるプロテクトマークセル３０２は１つでも良い。このとき判別できるプロテクト状態は１種類のみである。勿論、他種類のプロテクト状態を設定し、また判別することもできる。
【００４２】
なお、図１では、プロテクトマーク領域３０１を、ディスク本体１００の外周近くに配置している。しかしながら、プロテクトマーク領域３０１は、ディスク本体１００の内周近くに配置してもよい。内周近くに配置すると、プロテクトマーク領域３０１の径が短くなるから、反射による光量を判定するステップにおいて回転させる処理時間を短縮できる。
【００４３】
なお、プロテクトマーク領域３０１は、黒色等の光の反射による光量の小さい色で塗られ、書込みの可否の設定時にプロテクトマークセル３０２を白色等の光の反射による光量の大きい色で塗りつぶすようにしてもよい。その場合、後述するように、塗りつぶされたプロテクトマークセル３０２の個数を検出する際に、反射による光量が基準値Ａより大きくなるポイントの総計を計測すればよい。
【００４４】
なお、図３に示すように、着色によるのではなく、プロテクトマーク領域３０１に配置されるプロテクトマークセル３０２は、剥離可能な銀色または黒色等の薄膜３０７によって被覆されていてもよい。このとき、図４に示すように、ユーザは、プロテクトマークセル３０２上の薄膜３０７を剥がす（あるいは全く剥がさない）ことにより、プロテクト状態を設定する。
【００４５】
なお、図１では、プロテクトマーク領域３０１内のプロテクトマークセル３０２同士は、互いに離れて配置してある。しかしながら、プロテクトマークセル３０２は、互いに接して配置してもよい。
【００４６】
なお、図１に示すように、プロテクトマーク領域３０１は、ディスク本体１００の全周に渡って配置されなくても良い。例えば、ディスク半周に配置された場合、ディスク半回転でプロテクトマークの検出ができるため、その分プロテクトマークの検出時間を短縮できる。
【００４７】
次にこのようなディスク記録媒体１００に対する書込み不可の設定と解除の方法を説明する。なお以下、プロテクトマークセル３０２は、着色によりマークされるものとする。
【００４８】
ユーザは、ディスク記録媒体に対する書込み不可を設定するとき、ディスク記録媒体のプロテクトマーク領域３０１に対して、塗りつぶされたプロテクトマークセル３０２の数が奇数になるように、黒色のような光の反射による光量の小さい色でプロテクトマークセル１０３を塗りつぶす。
【００４９】
一方、ディスク記録媒体１００に対する書込み不可を解除する（つまり書込み可に設定する）には、ユーザは、塗りつぶされたプロテクトマークセル３０２の数が偶数になるように、ディスク記録媒体のプロテクトマーク領域３０１において、未だ塗りつぶされていないプロテクトマークセル３０２を塗りつぶす。
【００５０】
次に、図５を参照しながら、本形態におけるディスク駆動装置について説明する。
【００５１】
本形態のディスク駆動装置２００は、図１５に加え、プロテクトマーク検出ヘッド２０９とプロテクト検出手段２１０とを備える。
【００５２】
プロテクトマーク検出ヘッド２０９は、レーザ装置と、それによるレーザ光の反射による光量を計測する手段を備える。例えば、黒色等の面に対してレーザ光を照射した場合には反射による光量の値は小さくなり、白色等の面に対してレーザ光を照射した場合には反射による光量の値は大きくなる。
【００５３】
プロテクト検出手段２１０は、プロテクトマーク検出ヘッド２０９を用いて、ラベル面１０２のプロテクトマーク領域３０１にアクセスし、塗りつぶされたプロテクトマークセル３０２の個数に応じて書込みの可否を判断し、ドライブ制御手段２０８に通知する。
【００５４】
次に、図５〜図７を参照しながら、ディスク駆動装置２００による、ディスク記録媒体に対しての記録動作について説明する。このとき、使用するディスク記録媒体は、図１に示すものとする。
【００５５】
ステップＳ４０１にて、ディスク記録媒体がディスク駆動装置２００に装填されると、ドライブ制御手段２０８は、プロテクト検出手段２１０にディスク記録媒体への書込みの可否の判別を依頼する。
【００５６】
ステップＳ４０２にて、プロテクト検出手段２１０は、プロテクトマーク検出ヘッド２０９に指示を行う。その結果、ディスク記録媒体のプロテクトマーク領域３０１に垂直にレーザ光が照射され、その反射による光量の計測が開始される。
【００５７】
ステップＳ４０２にて、プロテクト検出手段２１０は、サーボ制御手段２０４に指示を行い、ディスク記録媒体を１回転させ、反射による光量を計測する。ディスク記録媒体を装填した場合、１回転中の光量の推移は、例えば図６のようになる。
【００５８】
ステップＳ４０３にて、プロテクトマーク検出ヘッド２０９は、一定の光量の大きさを示す基準値Ａより低くなるポイントの総計を検出して、塗りつぶされたプロテクトマークセル３０２の個数を検出する。なお、基準値Ａの設定は任意であり、経験により定める。
【００５９】
ステップＳ４０４、Ｓ４０３にて、プロテクト検出手段２１０は、検出された塗りつぶされたプロテクトマークセル３０２の個数を「２」で割ったときの余りを求める。余りが「ゼロ」ならば、処理はステップＳ４０６２に進む。余りが「１」ならば処理はステップＳ４０６１に進む。
【００６０】
本形態において、図１に示したディスク記録媒体の場合、塗りつぶされたプロテクトマークセル３０２の数は「３」（奇数）なので、処理はステップＳ４０６１に進むことになる。
【００６１】
ステップＳ４０６２では、プロテクト検出手段２１０は、ドライブ制御手段２０８に書込み可を通知し、処理はステップＳ４０７２に進む。
【００６２】
ステップＳ４０６１では、プロテクト検出手段２１０は、ドライブ制御手段２０８に書込み不可を通知し、処理はステップＳ４０７１に進む。
【００６３】
ステップＳ４０７２にて、図１０で説明したディスク記録媒体への記録動作と同様の記録動作が行われる。
【００６４】
ステップＳ４０７１にて、ドライブ制御手段２０８は、ディスク記録媒体への記録動作を禁止する。この禁止の結果、外部インターフェース２０７からデータ記録の命令が受け取られると、このデータは記録されずエラーが外部インターフェース２０７へ通知される。
【００６５】
実施の形態１により、ユーザは、ディスク記録媒体に対する書込みの可否の設定を簡易に行うことができ、かつディスク記録媒体の見た目で書込みの可否を判断できる。
【００６６】
（実施の形態２）
実施の形態１では、ラベル面１０２にプロテクトマーク領域３０１を設けたが、図８に示すように、実施の形態２では、記録面１０３にプロテクトマーク領域３０１が配置される。
【００６７】
プロテクトマーク領域３０１は、実施の形態１と同様に白色等の光の反射による光量の高い色で塗られている。その他、実施の形態１と同様に、図９、図１０に示すように筆記具３０６による着色や、被覆３０７の剥がし等によって、プロテクトマークセル３０２をマーク（あるいは全くマークしないことが）できる。
【００６８】
図１１を参照しながら、実施の形態２におけるディスク駆動装置について説明する。実施の形態２におけるディスク駆動装置２００は、実施の形態１のディスク駆動装置に対し、プロテクトマーク検出ヘッド２０９が不要である点が異なる。
【００６９】
プロテクト検出手段２１０は、ディスク記録媒体に対して、ヘッド２０２に既に装備されている再生手段を利用して、記録面１０３のプロテクトマーク領域３０１へアクセスし、実施の形態１と同様に、塗りつぶされたプロテクトマークセル３０２の個数に応じてディスク記録媒体への書込みの可否を判断し、ドライブ制御手段２０８に通知する。
【００７０】
図１１のディスク駆動装置の記録動作は、図４とほぼ同様であり、プロテクトマーク検知起動処理ステップＳ４０２の内容が異なるのみであるから、フローチャートの図示は省略する。即ち、本形態のプロテクトマーク検知起動処理ステップＳ４０２では、プロテクトマーク検知依頼を受けたプロテクトマーク検知手段２１０は、サーボ制御手段２０４を通じて、ヘッド２０９に指示を行い、ディスク記録媒体のプロテクトマーク領域３０１に対して、レーザ光を照射し、その反射による光の光量の計測を開始する。
【００７１】
実施の形態２によっても、実施の形態１と同様に、ユーザは、ディスク記録媒体に対する書込みの可否の設定を簡易に行うことができ、かつディスク記録媒体の見た目で書込みの可否を判断することができる。さらに、実施の形態１に比べ、記録再生を行うヘッドによってプロテクト判別が可能となり、さらにディスク駆動装置のヘッドを一つのみにすることができる。
【００７２】
（実施の形態３）
実施の形態３では、反射による光量の高い場合はプロテクトマークセルが塗りつぶされておらず、反射による光量の低い場合はプロテクトマークセルが塗りつぶされているとして、プロテクト判別を行う方法および装置を説明する。
【００７３】
図１２は、本発明の実施の形態３におけるディスク記録媒体の斜視図である。ディスク記録媒体１００は、実施の形態１とほぼ同様の構成であるが、プロテクトマーク領域３０１が、プラスティック等の透明の物質から形成されている点が異なる。
【００７４】
一般的に、ディスク記録媒体は、データを書込み可能な領域の前後である最内周および最外周に、記録には使用しない予備領域が設けられている。本形態は、そのような予備領域に、プロテクトマーク領域３０２を配置する。
【００７５】
実施の形態３におけるディスク駆動装置は、実施の形態２で説明した図１１と同じでよい。
【００７６】
ディスク駆動装置の記録動作については、実施の形態２の記録動作とほぼ同様であるが、プロテクト検知手段２１０が、反射による光量が大きい場合は書込み可とし、反射による光量が小さい場合は書込み不可とする点が異なる。
【００７７】
なお、本形態では、プロテクトマーク領域３０１を配置する面は、ディスク記録媒体の記録面１０３およびラベル面１０２のどちらでも良い。
【００７８】
なお、ヘッド２０２が照射するレーザ光に対する反射による光量が高く、少なくともディスク記録媒体と同径またはそれ以上の径を有した面を、ディスクを覆うように配置してもよい。その場合、ディスク記録媒体のプロテクトマーク領域３０１に対し、ヘッド２０２がレーザ光を照射したときの反射による光量は、黒く塗りつぶされているプロテクトマークセル３０２の場合は小さく、それ以外の場合はプロテクトマーク領域の透明の面を通過し、反射面に反射するため反射による光量は大きくなる。
【００７９】
よって、塗りつぶされたプロテクトマークセル３０２の個数を検出する際には、反射による光量が基準値Ａより大きくなるポイントの総計を計測すればよく、これにより実施の形態２と同様の効果が得られる。
【００８０】
実施の形態３により、ユーザは、ディスク記録媒体に対する書込みの可否の設定を簡易に行うことができ、かつディスク記録媒体の見た目で書込みの可否を判断することができるとともに、ディスクの記録面およびラベル面、どちらに対しても塗りつぶすことができる。
【００８１】
なお、本形態では、ＤＶＤ−ＲＡＭディスクにプロテクトマーク領域を配置することで説明をしたが、ディスク記録媒体であれば同様の効果が得られることは自明である。
【産業上の利用可能性】
【００８２】
本発明に係るディスク記録媒体は、例えば、ＤＶＤディスク等の分野において好適に利用できる。
【図面の簡単な説明】
【００８３】
【図１】本発明の実施の形態１におけるディスク記録媒体の斜視図
【図２】本発明の実施の形態１におけるディスク記録媒体の操作説明図
【図３】本発明の実施の形態１におけるディスク記録媒体の斜視図
【図４】本発明の実施の形態１におけるディスク記録媒体の操作説明図
【図５】本発明の実施の形態１におけるディスク駆動装置のブロック図
【図６】本発明の実施の形態１における読み取り過程を示すグラフ
【図７】本発明の実施の形態１における記録処理のフローチャート
【図８】本発明の実施の形態２におけるディスク記録媒体の斜視図
【図９】本発明の実施の形態２におけるディスク記録媒体の操作説明図
【図１０】本発明の実施の形態２におけるディスク記録媒体の斜視図
【図１１】本発明の実施の形態２におけるディスク駆動装置のブロック図
【図１２】本発明の実施の形態３におけるディスク記録媒体の斜視図
【図１３】従来のディスク記録媒体の斜視図
【図１４】従来のディスク記録媒体の斜視図
【図１５】従来のディスク駆動装置のブロック図
【符号の説明】
【００８４】
１００  ディスク本体
１０１  スプロケット孔
１０２  ラベル面
１０３  記録面
２００  ディスク駆動装置
２０１  モータ
２０２  ヘッド
２０３  データ入出力手段
２０４  サーボ制御手段
２０５  メモリ
２０６  バス
２０７  外部インターフェイス
２０８  ドライブ制御手段
２０９  プロテクトマーク検出ヘッド
２１０  プロテクト検出手段
３０１  プロテクトマークセル領域
３０２  プロテクトマークセル
３０３  スタートマーク
３０４  ＯＮ／ＯＦＦ表示
３０６  筆記具
３０７  薄膜
【図１】
2007272932.tif 000003
【図２】
2007272932.tif 000004
【図３】
2007272932.tif 000005
【図４】
2007272932.tif 000006
【図５】
2007272932.tif 000007
【図６】
2007272932.tif 000008
【図７】
2007272932.tif 000009
【図８】
2007272932.tif 000010
【図９】
2007272932.tif 000011
【図１０】
2007272932.tif 000012
【図１１】
2007272932.tif 000013
【図１２】
2007272932.tif 000014
【図１３】
2007272932.tif 000015
【図１４】
2007272932.tif 000016
【図１５】
2007272932.tif 000017